【手続補正書】
【提出日】平成24年4月23日(2012.4.23)
【手続補正１】
【補正対象書類名】明細書
【補正対象項目名】全文
【補正方法】変更
【補正の内容】
【発明の詳細な説明】
【発明の名称】ギアドモータ
【技術分野】
【０００１】
本発明は、モータと減速機構とが一体に設けられたギアドモータに関するものである。
【背景技術】
【０００２】
モータと減速機構とが一体に設けられたギアドモータが知られている（特許文献１）。ギアドモータは、その用途や求める回転数等の違いにより多種多様のものがあり、その一例として挙げられるのが、歯数の異なる２枚の内歯車を軸方向に重ね、一方の内歯車（固定内歯車）を固定し他方の内歯車（可動内歯車）が回るように構成された不思議遊星歯車機構である。不思議遊星歯車機構は、太陽外歯車と固定内歯車との歯数から決まる減速比と、二つの内歯車の歯数の差が生み出す減速比が掛け合わさって全体の減速比が定まる。たとえば、前者の減速比が１／８であり後者が１／１５であれば、最終的な減速比は１／１２０となり、通常の遊星歯車機構を軸方向に積み重ねた場合よりもコンパクトになるとともに、トルクの伝達効率も高くなるというメリットがある。不思議遊星歯車機構の出力軸は、その機構が持つ大きな減速比のため、全く回転させることができないか回転させることができても極めて大きな力が必要となる（以下、回転不能と回転困難を合わせて「セルフロック機能」という）。特許文献２には、上記のセルフロック機能を利用してシャッターカーテンの阻止状態を保持しようとする技術が開示されている。また、特許文献３には、遊星歯車機構と不思議遊星歯車機構とを組み合わせた遊星歯車減速装置が開示されている。この遊星歯車減速装置は、不思議遊星歯車機構を備えているため、上述したセルフロック機能を有しており、このままでは出力軸を回転させることができない。セルフロック機能は、上述した不思議遊星歯車機構だけでなく、遊星歯車機構その他の機構も有している。
【先行技術文献】
【特許文献】
【０００３】
【特許文献１】特開２００４−６８９９４号公報（段落０００５、図１参照）
【特許文献２】特開２００７−１７７４０５号公報（段落０００８、００２１、図２参照）
【特許文献３】特開２００２−３６４７１４号公報（段落０００７、図１参照）
【発明の概要】
【発明が解決しようとする課題】
【０００４】
しかしながら、上述した不思議遊星歯車機構のセルフロック機能は、一方では次のような問題点がある。たとえば、上述したシャッターカーテンの阻止状態を解除して人力で巻き上げなければならない事態が生じたとき、セルフロック機能が邪魔をしてそれを行うことができない。そのような事態とは、たとえば、不思議遊星歯車機構に連結されたモータが停電や故障により駆動しない場合が、その典型例である。店舗火災のときにシャッターを押し上げて店舗内部に入らなければならない場合などもそのような事態に含まれる。前者の場合において、出力軸とシャッターカーテンの駆動機構との間に、その連結を解いて不思議遊星歯車のセルフロック機能を遮断する機構を設けておけば、そのような事態に対応できようが、それでは、機構をいたずらに複雑にするだけである。後者の場合においては、そもそもそのような解除機構を設けたとしてもそれを店舗外にいる者が操作することはセキュリティ面からできないようにするはずであるから、機構を設ける意味がない。また、不思議遊星歯車機構のように回転不能、とまではいかなくても、およそ減速機構を有する限り出力軸を簡単に回転させることのできるギアドモータは存在しない。これらのギアドモータのセルフロック機能を遮断して回転させやすくできるようにして欲しい、という要望もあった。
【０００５】
本発明は上記事情に鑑みてなされたもので、複雑な機構を設けることなく、必要に応じてセルフロック機能を遮断して回転可能とすることのできるギアドモータを提供することを目的とする。
【課題を解決するための手段】
【０００６】
上記目的を達成するために本発明は、次の特徴を備えている。なお、各請求項記載の発明を説明するに当って行う用語の定義等は、その性質上可能な範囲において他の請求項記載の発明にも適用されるものとする。
【０００７】
（請求項１記載の発明の特徴）
請求項１記載の発明に係るギアドモータ（以下、適宜「請求項１のギアドモータ」という）は、駆動軸を有する駆動モータと、当該駆動軸の回転を減速して出力軸から取り出すための減速機構と、当該減速機構を当該駆動モータに固定するためのモータブラケットと、を含むギアドモータにおいて、当該減速機構が、当該駆動軸に設けたギアを含めて構成してあり、当該減速機構と当該モータブラケットとの間に、当該減速機構を当該モータブラケットに対して、当該ギアと一体で若しくは当該ギアの回りで円周方向に回転可能とするスライド機構を形成してあり、当該減速機構と当該モータブラケットとの間に、当該スライド機構のスライド阻止とスライド阻止解除を行うためのロック機構を設けてある。
【０００８】
請求項１のギアドモータによれば、駆動モータの駆動軸の回転は、減速機構によって減速され、出力軸から取り出される。このとき、減速機構はロック機構のスライド阻止機能によってモータブラケットに対してスライド阻止の状態にある。一方、ロック機構のスライド阻止を解除すると、スライド機構の働きにより減速機構がモータブラケットに対して円周方向にスライド可能な状態になる。ここで、出力軸若しくは減速機構を時計回り若しくは反時計回りのいずれかの方向に回転させると、これとともに減速機構が当該ギアと一体で若しくは当該ギアの回りで同方向に回転する。減速機構と駆動軸との間にセルフロック機能が働かないこと、さらに、モータブラケットによる減速機構のスライド阻止が解除されたこと、によって可能となる。このように請求項１の機構によれば、上述したようにシンプルな構造ながら、ロック機構の操作だけで、必要に応じて減速機構のセルフロック機能を遮断して駆動軸を回転可能とすることができる。
【０００９】
（請求項２記載の発明の特徴）
請求項２記載の発明に係るギアドモータ（以下、適宜「請求項２のギアドモータ」という）は、駆動軸を有する駆動モータと、当該駆動軸の回転を減速して出力軸から取り出すための減速機構と、当該減速機構を当該駆動モータに固定するためのモータブラケットと、を含むギアドモータである。ここで、当該減速機構が、当該駆動軸に固定したギアを含めて構成してあり、当該減速機構と当該モータブラケットとの間に、当該減速機構を当該モータブラケットに対して、当該ギアと一体で若しくは当該ギアの回りで円周方向に回転可能とするスライド機構を形成してあり、当該減速機構と当該モータブラケットとの間に、当該スライド機構のスライド阻止とスライド阻止解除を行うためのロック機構を設けてある。
【００１０】
請求項２のギアドモータによれば、駆動モータの駆動軸の回転は、減速機構によって減速され、出力軸から取り出される。このとき、減速機構はロック機構のスライド阻止機能によってモータブラケットに対してスライド阻止の状態にある。一方、ロック機構のスライド阻止を解除すると、スライド機構の働きにより減速機構がモータブラケットに対して円周方向にスライド可能な状態になる。ここで、出力軸若しくは減速機構を時計回り若しくは反時計回りのいずれかの方向に回転させると、これとともに減速機構が当該ギアと一体で若しくは当該ギアの回りで同方向に回転する。減速機構と駆動軸との間にセルフロック機能が働かないこと、さらに、モータブラケットによる減速機構のスライド阻止が解除されたこと、によって可能となる。このように請求項１の機構によれば、上述したようにシンプルな構造ながら、ロック機構の操作だけで、必要に応じて減速機構のセルフロック機能を遮断して駆動軸を回転可能とすることができる。
【００１１】
（請求項３記載の発明の特徴）
請求項３記載の発明に係るギアドモータ（以下、適宜「請求項３のギアドモータ」という）は、請求項１又は２のギアドモータの特徴を前提とした好ましい態様として、前記減速機構が、遊星歯車機構によって構成してある。すなわち、前記減速機構が、前記ギアを構成する太陽外歯車と、当該太陽外歯車に噛み合って当該太陽外歯車の周囲を公転しながら自転する遊星歯車と、当該遊星歯車を支持するキャリアと、当該遊星歯車の周囲に配置されて当該遊星歯車が噛み合う固定内歯車と、を備え、前記出力軸を当該キャリアの回転中心に固定してある遊星歯車機構によって構成してあり、前記スライド機構が、当該固定内歯車と当該モータブラケットとの間に形成してあり、前記ロック機構が、当該固定内歯車と当該モータブラケットとの間に設けてある。
【００１２】
請求項３のギアドモータによれば、請求項１又は２のギアドモータの作用効果が、遊星歯車機構によって構成した減速機構によって具体的に実現される。遊星歯車機構は、一般的にその減速比が大きいため、それだけセルフロック機能が働き、出力軸を回転させるのが難しい。このため、セルフロック機能を遮断可能とすることによって、遊星歯車機構を備えるギアドモータの用途が広がりより使い勝手のよいものとなる。
【００１３】
（請求項４記載の発明の特徴）
請求項４記載の発明に係るギアドモータ（以下、適宜「請求項４のギアドモータ」という）は、請求項１又は２のギアドモータの特徴を前提とした好ましい態様として、前記減速機構が、併設した複数段の遊星歯車機構によって構成してある。すなわち、前記減速機構が、前記ギアを構成する初段の太陽外歯車と、当該初段の太陽外歯車に噛み合って当該初段の太陽外歯車の周囲を公転しながら自転する初段の遊星歯車と、当該の初段遊星歯車を支持する初段のキャリアと、当該初段のキャリアに併設したｎ段（ｎは自然数、すなわち、１，２，３・・）の遊星歯車機構と、ｎ段の遊星歯車を支持する終段のキャリアと、当該ｎ段の遊星歯車すべての周囲に配置されて当該遊星歯車のすべてが噛み合う固定内歯車と、を含めて構成してあり、当該遊星歯車機構が、前段のキャリアの回転中心に固定してある太陽外歯車と、当該太陽外歯車に噛み合って当該太陽外歯車の周囲を公転しながら自転する遊星歯車と、当該遊星歯車を支持するキャリアと、を含めて構成してあり、前記出力軸を当該終段キャリアの回転中心に固定してあり、前記スライド機構が、当該固定内歯車と当該モータブラケットとの間に形成してあり、前記ロック機構が、当該固定内歯車と当該モータブラケットとの間に設けてある。
【００１４】
請求項４のギアドモータによれば、請求項１又は２のギアドモータの作用効果が、遊星歯車機構によって構成した減速機構によって具体的に実現される。遊星歯車機構は、一般的にその減速比が大きいため、それだけセルフロック機能が働き、出力軸を回転させるのが難しい。たとえば、減速比を１５０分の１以上に設定すると、出力軸を回転させるのはほぼ不可能である。このため、セルフロック機能を遮断可能とすることによって、遊星歯車機構を備えるギアドモータの用途が広がりより使い勝手のよいものとなる。
【００１５】
（請求項５記載の発明の特徴）
請求項５記載の発明に係るギアドモータ（以下、適宜「請求項５のギアドモータ」という）は、請求項１又は２のギアドモータの特徴を前提とした好ましい態様として、不思議遊星歯車機構によって構成してある。すなわち、前記減速機構が、前記ギアを構成する太陽外歯車と、当該太陽外歯車に噛み合って当該太陽外歯車の周囲を公転しながら自転する遊星歯車と、当該遊星歯車の周囲に配置されて当該遊星歯車が噛み合う固定内歯車と、当該固定内歯車に同軸にかつ軸回りに回転可能に並設されて前記遊星歯車が噛み合うとともに、当該固定内歯車と僅かに歯数が異なる可動内歯車と、を備え、前記出力軸を当該可動内歯車の回転中心に固定してある不思議遊星歯車機構によって構成してあり、前記スライド機構が、当該固定内歯車と当該モータブラケットとの間に形成してあり、前記ロック機構が、当該固定内歯車と当該モータブラケットとの間に設けてある。
【００１６】
請求項５のギアドモータによれば、請求項１又は２のギアドモータの作用効果が、不思議遊星歯車機構によって構成した減速機構によって具体的に実現される。不思議遊星歯車機構は、その減速比が一般的に極めて大きいため、それだけセルフロック機能が強力に働き、出力軸を回転させることはほぼ不可能である。このため、セルフロック機能を遮断可能とすることによって、遊星歯車機構を備えるギアドモータの用途が広がりより使い勝手のよいものとなる。
【００１７】
（請求項６記載の発明の特徴）
請求項６記載の発明に係るギアドモータ（以下、適宜「請求項６のギアドモータ」という）は、請求項１又は２のギアドモータの特徴を前提とした好ましい態様として、前記減速機構が、前記駆動軸に固定した遊星歯車機構部と、当該遊星歯車機構部に併設した不思議遊星歯車機構部と、を含めて構成してある。ここで、当該遊星歯車機構部が、前記ギアを構成する駆動太陽外歯車と、当該駆動太陽外歯車に噛み合うとともに固定内歯車と噛み合って当該駆動太陽外歯車の周囲を公転しながら自転する駆動遊星歯車と、当該駆動遊星歯車を支持するキャリアと、備えている。また、当該不思議遊星歯車機構部が、当該キャリアの回転中心に固定された太陽外歯車と、当該太陽外歯車に噛み合って当該太陽外歯車の周囲を公転しながら自転する遊星歯車と、当該遊星歯車の周囲に配置されて当該遊星歯車が噛み合う固定内歯車と、当該固定内歯車に同軸にかつ軸回りに回転可能に並設されて前記遊星歯車が噛み合うとともに、当該固定内歯車と僅かに歯数が異なる可動内歯車と、を備えている。前記出力軸を当該可動内歯車の回転中心に固定してあり、前記スライド機構が、当該固定内歯車と当該モータブラケットとの間に形成してある。さらに、前記ロック機構が、当該固定内歯車と当該モータブラケットとの間に設けてある。なお、駆動太陽外歯車のように「駆動」を付したのは、前記した不思議遊星歯車が有する太陽外歯車と区別し易いようにするためだけのものであり、作用的・機能的な意味を有するものではない。他の部材についても、同様とする。
【００１８】
請求項６のギアドモータによれば、請求項１又は２のギアドモータの作用効果に加え、不思議遊星歯車機構だけの場合に比べ、遊星歯車機構部の働きによってその分さらに高い減速比を得ることができる。すなわち、駆動軸の回転は、駆動太陽外歯車から駆動遊星歯車に伝達されて減速され、さらに、駆動遊星歯車の公転によって不思議遊星歯車機構の太陽外歯車が回転されるので、さらに減速される。ここで、出力軸（可動内歯車、固定内歯車）を回転させると、駆動遊星歯車（これらは回転しない）を介して駆動太陽外歯車を回転させるだけなので、それが可能となる。遊星歯車機構は、固定内歯車のスライドを可能とする範囲で多段組合せすることができる。
【００１９】
（請求項７記載の発明の特徴）
請求項７記載の発明に係るギアドモータ（以下、適宜「請求項７のギアドモータ」という）には、請求項２乃至５いずれかのギアドモータの特徴を前提とした好ましい態様として、前記スライド機構が、当該滑り内周面と、当該滑り内周面と滑り接触可能な滑り外周面とにより構成してあり、当該滑り内周面は、前記固定内歯車内面の前記モータブラケット側に環状形成してあり、さらに、当該滑り外周面は、前記モータブラケットが有するスライド円盤部の環状外周に形成してある。
【００２０】
請求項７のギアドモータによれば、請求項３乃至６いずれかのギアドモータのスライド機構の作用効果次のとおりとなる。すなわち、滑り内周面と滑り外周面とが、滑り端面５５と滑り端面５９とが、それぞれスライド可能（摺動可能、滑り接触可能）に接触し、これによって、固定内歯車（及びこれと一体に可動内歯車）をモータブラケットの円周方向に回転可能となる。
【００２１】
（請求項８記載の発明の特徴）
請求項８記載の発明に係るギアドモータ（以下、適宜「請求項８のギアドモータ」という）は、請求項３乃至７いずれかのギアドモータの特徴を前提とした好ましい態様として、前記ロック機構が、前記モータブラケットによって前記固定内歯車に対して突出退出可能に支持されたスライドバーと、突出した当該スライドバーの先端部を受け入れるために前記固定内歯車に形成された受け部と、を含めて構成してある。
【００２２】
請求項８のギアドモータによれば、請求項３乃至７いずれかのギアドモータの作用効果が、具体的にスライドバーと受け部によって実現する。すなわち、モータブラケットによって支持されたスライドバーが突出してその先端部が固定内歯車の受け部に受け入れられることによって、受け入れられた先端部が邪魔をしてモータブラケットに対する固定内歯車の円周方向スライドが阻止される。一方、スライドバーを退出させると、受け入れられていた先端部が受け部から退出して邪魔にならなくなりスライド阻止が解除されて同方向のスライドが可能になる。
【００２３】
（請求項９記載の発明の特徴）
請求項９記載の発明に係るギアドモータ（以下、適宜「請求項９のギアドモータ」という）は、請求項３乃至８いずれかのギアドモータの特徴を前提とした好ましい態様として、前記ロック機構が、前記モータブラケットによって前記固定内歯車に対して突出退出可能に支持されたスライドバーと、当該スライドバーの先端に固定され前記モータブラケットに対して軸方向に突出退出可能に構成されたストッパ部材と、当該ストッパ部材との間でスライド阻止機能を発揮するために前記固定内歯車に形成されたストッパ構造と、を含めて構成してある。上記スライド阻止機能は、たとえば、ストッパ部材が有する凹凸と固定内歯車が有する凹凸同士の噛み合いなどによって発揮される。
【００２４】
請求項９のギアドモータによれば、請求項３乃至８いずれかのギアドモータの作用効果が、具体的にスライドバーとストッパ部材とストッパ構造とによって実現する。すなわち、モータブラケットによって支持されたスライドバーが突出することに伴いストッパ部材が突出してストッパ構造との間でスライド阻止機能を発揮することによって、モータブラケットに対する固定内歯車の円周方向スライドが阻止される。一方、スライドバーを退出させると、スライド阻止が解除されて同方向のスライドが可能になる。
【００２５】
（請求項１０記載の発明の特徴）
請求項１０記載の発明に係るギアドモータ（以下、適宜「請求項１０のギアドモータ」という）は、請求項８又は９のギアドモータの特徴を前提とした好ましい態様として、前記ロック機構が、前記スライドバーを常時突出させておくための付勢部材（たとえば、コイルバネや板バネ）を含めて構成してある。
【００２６】
請求項１０のギアドモータによれば、請求項８又は９のギアドモータの作用効果に加え、付勢部材の働きによってスライドバーが常時突出状態、すなわち、固定内歯車のスライド阻止状態が保たれる。ここで、付勢部材の付勢力に逆らいながら手動でスライドバーを退出方向にスライドさせスライド阻止を解除した後、スライドバーの手を放すと付勢力によってスライドバーが突出し元のスライド阻止状態に復帰する。さらに付勢部材は、常時突出状態を保つことによってスライド阻止状態を簡単に解除できないように、換言すると、スライド阻止状態を確実に保つようにする機能も備えている。
【発明の効果】
【００２７】
本発明によれば、複雑な機構を設けることなく、必要に応じてセルフロック機能を遮断して回転可能とすることのできるギアドモータを提供することができる。
【図面の簡単な説明】
【００２８】
【図１】本実施形態に係るギアドモータの全体斜視図である。
【図２】図１に示すギアドモータの分解斜視図である。
【図３】図１に示すギアドモータの縦断面図である。
【図４】図１に示すギアドモータの右側面図である。
【図５】本実施形態に係るスライド機構を示す部分斜視図である。
【図６】図５に示すスライド機構の動作を示す斜視図である。
【図７】スライド機構の第１変形例に係る動作を示す斜視図である。
【図８】スライド機構の第２変形例に係る分解斜視図である。
【図９】図８に示すスライド機構の動作を示す斜視図である。
【図１０】本実施形態の第１変形例を示す分解斜視図である。
【図１１】図１０に示す第１変形例の縦断面図である。
【図１２】本実施形態の第２変形例を示す分解斜視図である。
【図１３】図１２に示す第１変形例の縦断面図である。
【図１４】本実施形態の第３変形例を示す縦断面図である。
【発明を実施するための形態】
【００２９】
（ギアドモータの概略構造）
以下、図面を参照しながら本発明の実施の形態（適宜、「本実施形態」という）について説明する。図１本実施形態に係るギアドモータ１は、駆動軸４を有する駆動モータ３と、該駆動軸４の回転を減速して出力軸から取り出すための減速機構５と、減速機構５を収容するケーシング９を含めて構成してある。減速機構５は、モータブラケット１１と、遊星歯車機構部７（以下、「機構部７」と略称する場合がある）と、不思議遊星歯車機構部８（以下、「機構部８」と略称する場合がある）と、から構成してある。
【００３０】
（モータブラケットの構造）
図１乃至５を参照しながら、モータブラケット１１について説明する。モータブラケット１１は、合成樹脂若しくはアルミニウムのような金属で一体構成した円盤状の部材である。具体的なモータブラケット１１は、図２が最もよく示すように、モータ３に最も近い位置にあり最も大径なフランジ部１３、フランジ部１３よりも小径で固定内場歯車３５（後述）とほぼ同じ外径の肉厚部１５と、最小径であり固定内歯車３５（後述）内部に隙間少なく挿入可能な環状外周面を有するスライド円板部１７と、から構成してある。モータブラケット１１の中心部には、その厚み方向に貫通孔１２を形成してある。貫通孔１２は、駆動軸４に差し込み固定した駆動太陽外歯車２３を、回転を妨げることなく収容可能な直径に形成してある（図３参照）。一方、図３が示すように、モータブラケット１１の厚みは、そこから駆動太陽外歯車２３が駆動太陽外歯車２３と噛み合うに充分な長さだけモータブラケット１１から突き出る寸法に形成してある。モータブラケット１１への駆動モータ３の固定は、ネジ１９によって行う。なお、符号２１は、ネジ１９を隠すための隠し板を示す。符号６３は、後述するロック機構６１の一部を構成する支持部を示す。支持部６３の外周面はフランジ部１３の外周面と同一面を形成しており、両者は、ケーシング９内に収納されるように構成してある。は、上記した、肉厚部１５及びスライド円板部１７の環状外周面は、後述するスライド機構５１の一部を構成する。
【００３１】
（遊星歯車機構部の構造）
図２及び３に示すように、機構部７は、駆動軸４と、後述する機構部８が備える太陽外歯車３１との間に配してある。具体的には、機構部７は、駆動軸４に差し込み固定されることによって回転される駆動太陽外歯車２３と、駆動太陽外歯車２３に噛み合うとともに固定内歯車３５と噛み合って駆動太陽外歯車２３の周囲を公転しながら自転する3個の駆動遊星歯車２５と、を含めて構成してある。駆動太陽外歯車２３は、減速機構５を構成するギアの１つとなる。各駆動遊星歯車２５は円板状のキャリア２７の一方の面から起立する3本のキャリアピン２９それぞれの回りで回転するようになっており、その公転によってキャリア２７の他方の面に固定された太陽外歯車３１が回転されるように構成してある。機構部７は、太陽外歯車３１の回転速度をその前段（駆動モータ３に近い段）において予め減速するために配したものであり、そのような減速が不要であればこれを省略することができる。他方、本実施形態のそれよりさらに減速を必要とする場合は、セルフロック機能が働かない範囲であれば機構部７を複数段積み重ねることもできる。
【００３２】
（不思議遊星歯車機構部の構造）
図２及び３を引き続き参照する。不思議遊星歯車機構部８（機構部８）は、太陽外歯車３１をまず備える。太陽外歯車３１は、上述した機構部７を介して駆動軸４によって間接的に回転される。機構部８は、この太陽外歯車３１とともに、遊星歯車３３を３個、キャリア３７、キャリアピン３９を３本及び可動内歯車４１を備えている。各遊星歯車３３は、円板状のキャリア３７の太陽外歯車３１に面する面から起立する３本のキャリアピン３９の回りで回転（自転）するように構成してある。各遊星歯車３３は、太陽外歯車３１に噛み合って太陽外歯車３１の周囲を公転しながら自転する。各遊星歯車３３の公転は、遊星歯車３３の周囲に配置された固定内歯車３５との噛み合いによる。各遊星歯車３３は、固定内歯車３５の長さよりも長く、これによって、固定内歯車３５から突き出して可動内歯車４１と噛み合うように構成してある。すなわち、可動内歯車４１は、固定内歯車３５に同軸にかつ軸回りに回転可能に並設されて遊星歯車３３が噛み合うように構成してある。また、可動内歯車４１の歯数は、固定内歯車３５のそれと僅かに異ならせてある。可動内歯車４１の出力軸４５側端面は閉鎖してあって、可動内歯車４１の回転中心に出力軸４５を軸方向に突き出るように固定してある。なお、キャリア３７並びにキャリアピン３９は、これらを省略することができる。これらを省略したときの遊星歯車３３は、太陽歯車３１及び固定内歯車３５に支持されつつ、上述した機能を果たす。それにも関わらずキャリア３７及びキャリアピン３９を設けたのは、両者に支持させた遊星歯車は太陽歯車３１にも固定内歯車３５にも依存しないで自立するので、組み立てが楽になるからである。
【００３３】
（スライド機構の構造）
図2、３、５及び６を参照しながら、スライド機構５１について説明する。スライド機構５１は、固定内歯車３５をモータブラケット１１に対して円周方向に回転可能とするために両部材間に形成した機構である。スライド機構５１は、固定内歯車３５内面のモータブラケット１１側に環状形成した滑り内周面５３と、モータブラケット１１が有するスライド円盤部１７の環状外周面（滑り外周面５７）と、によって構成してある。すなわち、スライド円盤部１７を固定内歯車３５に差し込んだときに、滑り内周面５３と滑り外周面５７とがスライド可能（摺動可能、滑り接触可能）に接触し、これによって、固定内歯車３５（及びこれと一体に可動内歯車４１）をモータブラケット１１の円周方向に回転可能となる。図６に示す（ａ）はスライド阻止状態を示し、このとき受け部７１内にスライドバー６７の先端部６９が受け入れられている。同（ｂ）はスライド阻止解除状態を示し、このとき先端部６９は支持部６３内に引き込まれて見えない。固定内歯車３５が円周方向にスライドして受け部７１支持部６３の位置が円周方向にずれているのが分かる。なお、固定内歯車３５のモータブラケット１１側端面（滑り端面５５）と、肉厚部１５の固定内歯車３５側の端面（滑り端面５９）とが摺動若しくは滑り接触する場合は、これら滑り端面５５及び滑り端面５９もスライド機構５１の一部を構成する。
【００３４】
（ロック機構の構造）
図２乃至５を参照する。ロック機構６１は、固定内歯車３５とモータブラケット１１との間に設けたスライド機構５１のスライド阻止とスライド阻止解除を行うための機構である。スライド機構５１は、モータブラケット１１が有する支持部６３と、この支持部６３を軸方向に貫通する支持孔６５を貫通するスライドバー６７と、固定内歯車３５が有する受け部７１とによって構成してある。ここで、スライドバー６７は、支持部６３によって固定内歯車３５（受け部７１）に対して突出退出可能に支持され、突出したスライドバー６７の先端部６９は固定内歯車３５に形成された受け部７１に受け入れられ、この受け入れによって、モータブラケット１１に対する固定内歯車３５がロックされる。符号７５は、付勢部材であるコイルバネを示すコイルバネ７５は、スライドバー６７の周りに、かつ、抜けないように先端部６９と支持部６３との間に配してある。コイルバネ７５は、スライドバー６７を受け部７１方向に常時突出させておくための部材である。本実施形態の受け部７１は、固定内歯車３５のモータブランケット１１側縁部に形成した凹部（切欠）がこれに該当する。
【００３５】
（本実施形態の作用効果）
ギアドモータ１によれば、駆動モータ３の駆動軸４の回転は、減速機構５によって減速され、出力軸４５から取り出される。すなわち、駆動軸４の回転は、駆動太陽外歯車２３から駆動遊星歯車２５に伝達されて減速され、さらに、駆動遊星歯車２５の公転によってキャリア２７を介して不思議遊星歯車機構の太陽外歯車３１が回転されるので、二段階に減速される。太陽外歯車３１の回転は遊星歯車３３を公転・自転させる。このとき、固定内歯車３５はロック機構６１のスライド阻止機能によってモータブラケット１１に対してスライド阻止の状態にある。ロック機構６１の一部を構成するスライドバー６７がコイルバネ７５の付勢力によって突出してその先端となる先端部６９が固定内歯車３５の受け部７１に受け入れられることによって、受け入れられた先端部６９が邪魔をしてモータブラケット１１に対する固定内歯車３５の円周方向のスライドが阻止される。遊星歯車３３の説明に戻る。遊星歯車３３の公転は可動内歯車４１を回転させ、これによって出力軸４５が一体回転する。この状態で出力軸４５若しくは可動内歯車４１を回転させようとしても、不思議遊星歯車機構８のセルフロック機能によりそれができない。
【００３６】
一方、スライドバー６７を手で摘んでコイルバネ７５の付勢力に逆らいながら退出させると、受け入れられていた先端部６９が受け部７１から退出して邪魔にならなくなりロック機構６１のスライド阻止が解除される。ロック機構６１のスライド阻止が解除されると、スライド機構５１の働きにより固定内歯車がモータブラケット１１に対して円周方向にスライド可能な状態になる。すなわち、モータブラケット１１のスライド円盤部１７を固定内歯車３５に差し込んだときに、滑り内周面５３と滑り外周面５７とが、滑り端面５５と滑り端面５９とが、それぞれスライド可能（摺動可能）に接触し、これによって、固定内歯車３５（及びこれと一体に可動内歯車４１）をモータブラケット１１の円周方向に回転可能となる。
【００３７】
スライド可能となったところで、出力軸４５若しくは可動内歯車４１を時計回り若しくは反時計回りのいずれかの方向に回転させると、減速機構５を構成するギアの１つである駆動太陽外歯車２３の回りを、これと噛み合う駆動遊星歯車２５が自転しながら公転して、これによって固定内歯車３５が同方向に回転（スライド）する。この回転は、セルフロック機能によって固定内歯車３５が可動内歯車４１と実質的に一体化している一方、固定内歯車３５と駆動軸４との間にセルフロック機能が働かないことから可能となる。スライド阻止を解除した後、スライドバー６７の手を放すとコイルバネ７５の付勢力によってスライドバー６７が突出し元のスライド阻止状態に復帰する。さらにコイルバネ７５は、常時突出状態を保つことによってスライド阻止状態を簡単に解除できないようにする機能も備えている。なお、たとえば、駆動遊星歯車２５との噛み合わせ抵抗が大きすぎるときに駆動遊星歯車２５が一体回転する場合もある。
【００３８】
（ロック機構の第１変形例）
図７を参照しながら、ロック機構の第１変形例について説明する。図７に示す第１変形例に係るロック機構と図６に示す本実施形態に係るロック機構との違いは、それらの受け部の形状のみである。したがって、本実施形態と第１変形例の間で共通する部材については、図６で使用した部材番号と同じ部材番号を図７に記すとともに、共通部材についての説明を省略する。すなわち、第１変形例に係る受け部７７は、固定内歯車３５の外周面から突き出す２個の受け片７７によって構成してある。ロック機構６１の受け部となる各受け片７７は、固定内歯車３５のモータブラケット１１側縁部に設けてあり、両者間には、所定の隙間７９が設けてある。この隙間７９は、スライドバー６７の先端部６９が突出するときにこれを受け入れ退出するときにこれを許容するように形成してある。
【００３９】
（ロック機構の第２変形例）
図８及び９を参照しながら、ロック機構の第２変形例について説明する。第２変形例に係るロック機構は、スライド機構の変更をも伴うので、スライド機構と併せてその説明を行う。モータブラケット１１´は、フランジ部１３´と、肉厚部１５´と、支持部６３と、を備えている。肉厚部１５´の厚みは、前述した肉厚部１５のそれより幅広になっており、後述すするストッパリング８７の軸方向スライドを許容するようになっている。ストッパリングのスライドは、それ自身が固定内歯車３５´に対して突出退出を可能とするためである。肉厚部１５´の外周面は滑り外周面８３となっている。滑り外周面８３を形成した理由は、後述する。滑り外周面８３には、フランジ部１３´から軸方向に滑り外周面８３の途中まで延びる細長突片８４を突出形成してある。細長突片８４を形成した理由も後述する。
【００４０】
ストッパリング８７は、肉厚部１５の外径より僅かに大きな内径を持ったリング状部材（ストッパ部材）であり、軸方向に差し込むことによって肉厚部１５´（滑り外周面８３）の外側に被せられるように構成してある。ストッパリング８３は、その内周面（滑り内周面９１）が滑り外周面８３と滑り接触し、これによってストッパリング８３の肉厚部１５´（モータブラケット１１´）に対する周方向スライドを可能にする。すなわち、滑り外周面８３と滑り内周面９１とによってスライド機構９２が構成される。ストッパリング８７のモータブラケット１１側には、モータブラケット１１側に開口し軸方向に延びる受け溝９０を形成してある。受け溝９０は、ストッパリング８７を肉厚部１５´の外側に被せたときに細長突片８４を受け入れ、これによって、被せたストッパリング８７を肉厚部１５´に対して周方向の回転を阻止する一方、軸方向に突出退出可能とするためのものである。軸方向突出退出は、ストッパリング８７に先端部が固定され、支持部６３´によってスライド可能に支持されたスライドバー６７´を、突出退出方向に操作することによって行われる。スライドバー６７´の回りに配されたコイルバネ７５´がスライドバー６７´を常時突出方向に付勢し、これに伴い、ストッパリング８７も常時突出状態に保たれる。
【００４１】
ストッパリング８７の固定内歯車３５´側の縁部には、凸部８８と凹部８９とが周方向に互い違いに形成してある。他方、ストッパリング８７の凸部８８及び凹部８９と、反対の位置関係となる凹部９２及び凸部９１を固定内歯車３５´のストッパリング８７側縁部に形成してある。ストッパリング８７が突出状態にあることによって凸部８８と凹部９２とが、凹部８９と凸部９１とが、それぞれ噛み合った状態になり、この噛み合いによって固定内歯車３５´のモータブラケット１１´に対する周方向のスライドが阻止される。一方、ストッパリング８７が退出状態になることによって上記噛み合いが解除され、これによって、固定内歯車３５´のモータブラケット１１´に対する周方向のスライド阻止が解除されスライドが可能になる。すなわち、固定内歯車３５´の凸部８８と凹部８９及びストッパリング８７の凸部８８及び凹部８９によってでロック機構８１が構成される。
【００４２】
（本実施形態の第１変形例）
図１０及び１１を参照しながら、本実施形態の第１変形例について説明する。第１変形例に係るギアドモータ１Ａが前掲した本実施形態に係るギアドモータ１と異なる点は、後者が有していた遊星歯車機構部を前者が有しない点である。すなわち、ギアドモータ１Ａは、不思議遊星歯車機構部８Ａのみによって減速機構５Ａを構成してある。このような関係にあるため、ギアドモータ１Ａとギアドモータ１との間で共通する部材については、図２及び３に示す部材番号をそのまま図２及び３にて使用するにとめ、共通する部材についての説明は省略する。以下、両者異なる点について説明する。すなわち、太陽歯車２３は、減速機構５Ａを構成するギアの１つであって、減速機構５Ａをモータブラケット１１に対して回転させる際にそれ回転せずに、それと噛み合う遊星歯車３３が自転しながら公転する。なお、たとえば、遊星歯車３３との噛み合わせ抵抗が大きすぎるときに遊星歯車２３が一体回転する場合もあることは、ギアドモータ１の場合と異ならない。ギアドモータ１Ａがギアドモータ１と主な相違点は、遊星歯車機構部を有しない分だけ、固定内歯車３５Ａの長さ寸法が固定内歯車３５のそれより短いこと、及び、ケーシング９Ａの長さ寸法がケーシング９のそれより短いことである。スライド機構１１やロック機構６１の構成及び作用効果について、両者間に異なることはない。遊星歯車機構を有しない分、減速機構５Ａのセルフロック機能が緩和されるが、それでもなお、出力軸４５(可動内歯車４１)を回転させづらい状態が解消されるわけではない。このような状態は、上記構成を採用することによって大幅に改善される。
【００４３】
（本実施形態の第２変形例）
図１２及び１３を参照しながら、本実施形態の第２変形例について説明する。第２変形例に係るギアドモータ１Ｂが前掲した本実施形態に係るギアドモータ１と異なる点は、後者が有していた不思議遊星歯車機構部８を有しない点、さらに、遊星歯車機構部を複数段設けてある点である。このような関係にあるため、ギアドモータ１Ａとギアドモータ１との間で共通する部材については、図２及び３に示す部材番号をそのまま図２及び３にて使用するにとめ、共通する部材についての説明は省略する（各段における遊星歯車機構の構成についても同じ）。以下、両者異なる点についてのみ説明する。すなわち、ギアドモータ１Ａは、複数段（第２変形例では４段）の遊星歯車機構部７Ｂ（図１２では全体を符号７Ｂで示すが、各段のそれぞれを意味する場合もある）のみによって減速機構５Ｂを構成してある。遊星歯車機構部７Ｂの段数は１段でも２段以上でもよい。具体的な減速機構５Ｂは、減速機構５Ｂの一部を構成するギアの１つである初段の太陽外歯車２３と、太陽外歯車２３に噛み合って太陽外歯車２３の周囲を公転しながら自転する初段の遊星歯車２５と、遊星歯車２５を支持する初段のキャリア２７（図１２の一番右にある）と、初段のキャリア２７に併設したｎ段（ｎは自然数）の遊星歯車機構７Ｂと、ｎ段の遊星歯車を支持する終段のキャリア２７（図１２の一番左にある）と、を含めて構成してある。ここで、遊星歯車機構７Ｂ各々が、前段（１つ手前の段）のキャリア２７の回転中心に固定してある太陽外歯車２７と、当該太陽外歯車２７に噛み合って当該太陽外歯車２７の周囲を公転しながら自転する遊星歯車と、当該遊星歯車を支持する次の段へ繋げるためのキャリア２７と、を含めて構成してある。出力軸４５は終段のキャリア２７の回転中心に固定してある。その他、ギアドモータ１Ｂがギアドモータ１と異なる点は、不思議遊星歯車機構部を有しない分と遊星歯車機構の段数を増やした分だけ、固定内歯車３５Ｂの長さ寸法が固定内歯車３５のそれと異なること、及び、ケーシング９Ａの長さ寸法がケーシング９のそれと異なることである。スライド機構１１やロック機構６１の構成及び作用効果について、両者間に異なることはない。出力軸４５を回転させづらい状態は、上記構成を採用することによって大幅に改善される。
【００４４】
（本実施形態の第３変形例）
図１４を参照しながら、本実施形態の第３変形例について説明する。第１変形例に係るギアドモータ１Ａが前掲した本実施形態に係るギアドモータ１と異なる点は、減速機構５Ｃの構造である。減速機構５Ｃは、必ずしも不思議遊星歯車機構や遊星歯車機構若しくはこれらを組み合わせたものに限るものではなく、減速機構は多種多様であり本発明が適用可能なすべての減速機構を用いることができる。減速機構５Ｃは、ギア２３Ｃ及び受け部７１Ｃを備えている。ギア２３Ｃには、たとえば、ピニオンギヤやウォームギアを用いることができる。受け部７１Ｃは、支持部６３、スライドバー６７、先端部６９とともにロック機構６１Ｃの一部を構成する。スライドバー６７は、支持部６３によって減速機構５Ｃ（受け部７１Ｃ）に対して突出退出可能に支持され、突出したスライドバー６７の先端部６９は受け部７１に受け入れられ、この受け入れによって、モータブラケット１１に対する減速機構５Ｃがロックされる。ロックによって、モータブラケット１１に対する減速機構５Ｃのスライドが阻止され、ロック解除によって、スライド阻止が解除される。
【符号の説明】
【００４５】
１・・ギアドモータ、３・・駆動モータ、４・・駆動軸、５・・減速機構、７・・遊星歯車機構部、８・・不思議遊星歯車機構部、９・・ケーシング、１１・・モータブラケット、１２・・貫通孔、１３・・フランジ部、１５・・肉厚部、１７・・スライド円板部、１９・・ネジ、２１・・隠し板、２３・・駆動太陽外歯車、２５・・駆動遊星歯車、２７・・キャリア、２９・・キャリアピン、３１・・太陽外歯車、３３・・遊星歯車、３５・・固定内歯車、３７・・キャリア、３９・・キャリアピン、４１・・可動内歯車、４５・・出力軸、５１・・スライド機構、５３・・滑り内周面、５５・・滑り端面、５７・・滑り外周面、５９・・滑り端面、６１・・ロック機構、６３・・支持部、６５・・支持孔、６７・・スライドバー、６９・・先端部、７１・・受け部、７５・・コイルバネ、７７・・受け部、７９・・隙間、８３・・滑り外周面、８４・・細長突片、８７・・ストッパリング、８８・・凸部、８９・・凹部、９０・・受け溝、９１・・凸部、９２・・凹部
【手続補正２】
【補正対象書類名】特許請求の範囲
【補正対象項目名】全文
【補正方法】変更
【補正の内容】
【特許請求の範囲】
【請求項１】
駆動軸を有する駆動モータと、
当該駆動軸の回転を減速して出力軸から取り出すための減速機構と、
当該減速機構を当該駆動モータに固定するためのモータブラケットと、
を含むギアドモータにおいて、
当該減速機構が、当該駆動軸に設けたギアを含めて構成してあり、
当該減速機構と当該モータブラケットとの間に、当該減速機構を当該モータブラケットに対して、当該ギアと一体で若しくは当該ギアの回りで円周方向に回転可能とするスライド機構を形成してあり、
当該減速機構と当該モータブラケットとの間に、当該スライド機構のスライド阻止とスライド阻止解除を行うためのロック機構を設けてある
ことを特徴とするギアドモータ。
【請求項２】
駆動軸を有する駆動モータと、
当該駆動軸の回転を減速して出力軸から取り出すための減速機構と、
当該減速機構を当該駆動モータに固定するためのモータブラケットと、
を含むギアドモータにおいて、
当該減速機構が、当該駆動軸に固定したギアを含めて構成してあり、
当該減速機構と当該モータブラケットとの間に、当該減速機構を当該モータブラケットに対して、当該ギアと一体で若しくは当該ギアの回りで円周方向に回転可能とするスライド機構を形成してあり、
当該減速機構と当該モータブラケットとの間に、当該スライド機構のスライド阻止とスライド阻止解除を行うためのロック機構を設けてある
ことを特徴とするギアドモータ。
【請求項３】
前記減速機構が、
前記ギアを構成する太陽外歯車と、
当該太陽外歯車に噛み合って当該太陽外歯車の周囲を公転しながら自転する遊星歯車と、
当該遊星歯車を支持するキャリアと、
当該遊星歯車の周囲に配置されて当該遊星歯車が噛み合う固定内歯車と、を備え、
前記出力軸を当該キャリアの回転中心に固定してある遊星歯車機構によって構成してあり、
前記スライド機構が、当該固定内歯車と当該モータブラケットとの間に形成してあり、
前記ロック機構が、当該固定内歯車と当該モータブラケットとの間に設けてある
ことを特徴とする請求項１又は２記載のギアドモータ。
【請求項４】
前記減速機構が、
前記ギアを構成する初段の太陽外歯車と、
当該初段の太陽外歯車に噛み合って当該初段の太陽外歯車の周囲を公転しながら自転する初段の遊星歯車と、
当該の初段遊星歯車を支持する初段のキャリアと、
当該初段のキャリアに併設したｎ段（ｎは自然数）の遊星歯車機構と、
ｎ段の遊星歯車を支持する終段のキャリアと、
当該ｎ段の遊星歯車すべての周囲に配置されて当該遊星歯車のすべてが噛み合う固定内歯車と、
を含めて構成してあり、
当該遊星歯車機構が、前段のキャリアの回転中心に固定してある太陽外歯車と、
当該太陽外歯車に噛み合って当該太陽外歯車の周囲を公転しながら自転する遊星歯車と、
当該遊星歯車を支持するキャリアと、を含めて構成してあり、
前記出力軸を当該終段キャリアの回転中心に固定してあり、
前記スライド機構が、当該固定内歯車と当該モータブラケットとの間に形成してあり、
前記ロック機構が、当該固定内歯車と当該モータブラケットとの間に設けてある
ことを特徴とする請求項１又は２記載のギアドモータ。
【請求項５】
前記減速機構が、
前記ギアを構成する太陽外歯車と、
当該太陽外歯車に噛み合って当該太陽外歯車の周囲を公転しながら自転する遊星歯車と、
当該遊星歯車の周囲に配置されて当該遊星歯車が噛み合う固定内歯車と、
当該固定内歯車に同軸にかつ軸回りに回転可能に並設されて前記遊星歯車が噛み合うとともに、当該固定内歯車と僅かに歯数が異なる可動内歯車と、を備え、
前記出力軸を当該可動内歯車の回転中心に固定してある不思議遊星歯車機構によって構成してあり、
前記スライド機構が、当該固定内歯車と当該モータブラケットとの間に形成してあり、
前記ロック機構が、当該固定内歯車と当該モータブラケットとの間に設けてある
ことを特徴とする請求項１又は２記載のギアドモータ。
【請求項６】
前記減速機構が、
前記駆動軸に固定した遊星歯車機構部と、当該遊星歯車機構部に併設した不思議遊星歯車機構部と、を含めて構成してあり、
当該遊星歯車機構部が、
前記ギアを構成する駆動太陽外歯車と、
当該駆動太陽外歯車に噛み合うとともに固定内歯車と噛み合って当該駆動太陽外歯車の周囲を公転しながら自転する駆動遊星歯車と、
当該駆動遊星歯車を支持するキャリアと、を備え、
当該不思議遊星歯車機構部が、
当該キャリアの回転中心に固定された太陽外歯車と、
当該太陽外歯車に噛み合って当該太陽外歯車の周囲を公転しながら自転する遊星歯車と、
当該遊星歯車の周囲に配置されて当該遊星歯車が噛み合う固定内歯車と、
当該固定内歯車に同軸にかつ軸回りに回転可能に並設されて前記遊星歯車が噛み合うとともに、当該固定内歯車と僅かに歯数が異なる可動内歯車と、を備え、
前記出力軸を当該可動内歯車の回転中心に固定してあり、
前記スライド機構が、当該固定内歯車と当該モータブラケットとの間に形成してあり、
前記ロック機構が、当該固定内歯車と当該モータブラケットとの間に設けてある
ことを特徴とする請求項１又は２記載のギアドモータ。
【請求項７】
前記スライド機構が、当該滑り内周面と、当該滑り内周面と滑り接触可能な滑り外周面とにより構成してあり、
当該滑り内周面は、前記固定内歯車内面の前記モータブラケット側に環状形成してあり、
当該滑り外周面は、前記モータブラケットが有するスライド円盤部の環状外周に形成してあることを特徴とする請求項２乃至５いずれか記載のギアドモータ。
【請求項８】
前記ロック機構が、前記モータブラケットによって前記固定内歯車に対して突出退出可能に支持されたスライドバーと、突出した当該スライドバーの先端部を受け入れるために前記固定内歯車に形成された受け部と、を含めて構成してある
ことを特徴とする請求項３乃至７いずれか記載のギアドモータ。
【請求項９】
前記ロック機構が、前記モータブラケットによって前記固定内歯車に対して突出退出可能に支持されたスライドバーと、当該スライドバーの先端に固定され前記モータブラケットに対して軸方向に突出退出可能に構成されたストッパ部材と、当該ストッパ部材との間でスライド阻止機能を発揮するために前記固定内歯車に形成されたストッパ構造と、を含めて構成してある
ことを特徴とする請求項３乃至８いずれか記載のギアドモータ。
【請求項１０】
前記ロック機構が、前記スライドバーを常時突出させておくための付勢部材を含めて構成してある
ことを特徴とする請求項８又は９記載のギアドモータ。